(57)【特許請求の範囲】
【請求項１】
給電口、給電導波路、放射導波路、Ｔ分岐部、及び側壁を具備する導波管ベースと、
前記放射導波路に対応する位置に、長手方向に沿ってスロット孔が設けられてスロット孔列が形成されたスロット板とを具備して成る導波管スロットアレーアンテナにおいて、
前記導波管ベースは、周波数ｆ０について最適化されたものを用い、
前記スロット板は、前記周波数ｆ０及び該周波数ｆ０とは異なる周波数のそれぞれに対して最適化されたもののいずれかに交換可能であり、
前記導波管ベースと前記各周波数に対して最適化されたスロット板との組み合わせにより複数の周波数帯域をカバー可能としたことを特徴とし、且つ、
前記周波数ｆ０よりも低い周波数ｆ０−Δｆに対して最適化されたスロット板は、等位相面が前記放射導波路に対して所定の角度を有するように、また始端スロット孔が、外側の放射導波路に向かうにつれて、徐々に前記給電口から遠い位置に形成されるように、さらにまた終端スロット孔と側壁との間の距離が、スロット板の幅方向の中央部に形成された前記スロット孔列ほど長くなるように、前記スロット孔が形成されていることを特徴とする導波管スロットアレーアンテナ。
【請求項２】
前記スロット孔列に隣接して設けられた前記スロット孔の間隔が、前記周波数ｆ０に最適化されたスロット板のスロット孔の間隔よりも長いことを特徴とする請求項１に記載の導波管スロットアレーアンテナ。
【請求項３】
給電口、給電導波路、放射導波路、Ｔ分岐部、及び側壁を具備する導波管ベースと、
前記放射導波路に対応する位置に、長手方向に沿ってスロット孔が設けられてスロット孔列が形成されたスロット板とを具備して成る導波管スロットアレーアンテナにおいて、
前記導波管ベースは、周波数ｆ０について最適化されたものを用い、
前記スロット板は、前記周波数ｆ０及び該周波数ｆ０とは異なる周波数のそれぞれに対して最適化されたもののいずれかに交換可能であり、
前記導波管ベースと前記各周波数に対して最適化されたスロット板との組み合わせにより複数の周波数帯域をカバー可能としたことを特徴とし、且つ、
前記周波数ｆ０よりも高い周波数ｆ０＋Δｆに対して最適化されたスロット板は、等位相面が前記放射導波路に対して所定の角度を有するように、また始端スロット孔が、外側の放射導波路に向かうにつれて、徐々に前記給電口寄りの位置に形成されるように、さらにまた終端スロット孔と側壁との間の距離が、スロット板の幅方向の中央部に形成された前記スロット孔列ほど短くなるように、前記スロット孔が形成されていることを特徴とする導波管スロットアレーアンテナ。
【請求項４】
前記スロット孔列に隣接して設けられた前記スロット孔の間隔が、前記周波数ｆ０に最適化されたスロット板のスロット孔の間隔よりも短いことを特徴とする請求項３に記載の導波管スロットアレーアンテナ。
【請求項５】
前記スロット板と、前記導波管ベースとの取付けは、少なくとも両者を重ね合わせた周縁部で、ねじ止め又は鋲止めを行うことを特徴とする請求項１ないし請求項４のいずれかに記載の導波管スロットアレーアンテナ。
【請求項６】
前記周波数ｆ０に対して最適化された前記スロット板は、等位相面が前記放射導波路に対して垂直となり、また終端スロット孔と前記側壁との距離が一様となるように前記スロット孔が形成されることを特徴とする請求項１又は３に記載の導波管スロットアレーアンテナ。
【発明の詳細な説明】
【技術分野】
【０００１】
本発明は、マイクロ波帯、ミリ波帯において用いられる導波管スロットアレーアンテナに関する。
【背景技術】
【０００２】
導波管スロットアレーアンテナとは、従来の複数のスロットアンテナを素子アンテナとしてあるパターンに配置したアレーアンテナであり、主に導波管ベースとスロット板とにより構成されている。スロット板の各スロット孔の寸法と配置によって、ある領域内に所望の電界分布が得られる。
【０００３】
従来の導波管スロットアレーアンテナは、例えば特許文献１に示されるように、与えられた設計周波数に対して、導波管ベースとスロット板とが設計されている。すなわち、設計周波数としてｆ０が与えられた場合は、周波数ｆ０に対して最適化された導波管ベース及びスロット板を製作し、設計周波数としてｆ１が与えられた場合は、周波数ｆ１に対して最適化された導波管ベース及びスロット板を製作していた。しかし、このようなアンテナは６ｃｈ（１ｃｈが約３０ＭＨｚ）程度をカバーするのみであり、狭帯域であるため、さまざまな周波数に対する導波管ベースとスロット板とを用意する必要があった。なお、ｆ０、ｆ１、ｆ２、ｆ３などの設定周波数は、例えば電話会社毎に免許されている。また地域によっても異なる周波数が割り当てられ、さらにまた、国によっても、異なる周波数が割り当てられることが多い。
【０００４】
しかしながら、導波管ベースは、通常ＮＣマシンや、ダイキャスト等で製造されるが、特にダイキャストによる場合は、ダイキャストに用いられる金型が高価であるため製造コストが高く、各周波数に対応した導波管ベースを多数取り揃えることができないという問題があった。一方、スロット板は放電加工やエッチングで製造されるため、導波管ベースに較べ安価に製造することができる。
【０００５】
そこで、例えば周波数ｆ０に対して最適化された導波管ベース及びスロット板を、周波数ｆ１にも用いて、アンテナを作動させようとすると、指向性特性が劣化してしまうという問題があった。具体的には、図６に示すように、２５．３ＧＨｚの周波数に対して最適化された導波管ベース及びスロット板を、周波数を０．５ＧＨｚずらした２５．８ＧＨｚに用いると、約２．５ｄＢも指向性利得が低下してしまっていた。従って、周波数ｆ０に対して最適化された導波管ベース及びスロット板を、周波数ｆ１について用いることはできなかった。なお、図６に示す特性を広帯域とする、すなわちグラフを平坦とする研究は、盛んであるが原理的に限界がある。
【０００６】
また、従来は、周波数ｆ０に対して最適化された導波管ベース及びスロット板を用いて、周波数帯域をできるだけ広帯域にするように、例えば中央給電型や、部分並列給電型等の導波管スロットアレーアンテナ等の開発がなされているが、問題の解決には至っていない。
【特許文献１】特開２００４−１４７１６９号公報
【発明の開示】
【発明が解決しようとする課題】
【０００７】
本発明は、上述したような実情に鑑みてなされたもので、その目的とするところは、ある設定周波数に対して設計された導波管ベースであっても、スロット板を交換することによって周波数を切り替えることができ、広帯域の周波数をカバーすることができる導波管スロットアレーアンテナを提供することにある。
【課題を解決するための手段】
【０００８】
本発明の上記目的は、給電口、給電導波路、放射導波路、Ｔ分岐部、及び側壁を具備する導波管ベースと、前記放射導波路に対応する位置に、長手方向に沿ってスロット孔が設けられてスロット孔列が形成されたスロット板とを具備して成る導波管スロットアレーアンテナにおいて、前記導波管ベースは、周波数ｆ０について最適化されたものを用い、前記スロット板は、前記周波数ｆ０及び該周波数ｆ０とは異なる周波数のそれぞれに対して最適化されたもののいずれかに交換可能であり、前記導波管ベースと前記各周波数に対して最適化されたスロット板との組み合わせにより複数の周波数帯域をカバー可能としたことを特徴とし、且つ、前記周波数ｆ０よりも低い周波数ｆ０−Δｆに対して最適化されたスロット板は、等位相面が前記放射導波路に対して所定の角度を有するように、また始端スロット孔が、外側の放射導波路に向かうにつれて、徐々に前記給電口から遠い位置に形成されるように、さらにまた終端スロット孔と側壁との間の距離が、スロット板の幅方向の中央部に形成された前記スロット孔列ほど長くなるように、前記スロット孔が形成されていることを特徴とする導波管スロットアレーアンテナを提供することによって達成される。
【０００９】
また、本発明の上記目的は、前記周波数ｆ０に対して最適化された前記スロット板は、等位相面が前記放射導波路に対して垂直となり、また終端スロット孔と前記側壁との距離が一様となるように前記スロット孔が形成されることを特徴とする導波管スロットアレーアンテナを提供することによって、効果的に達成される。
【００１１】
また、本発明の上記目的は、前記スロット孔列に隣接して設けられた前記スロット孔の間隔が、前記周波数ｆ０に最適化されたスロット板のスロット孔の間隔よりも長いことを特徴とする導波管スロットアレーアンテナを提供することによって、より効果的に達成される。
【００１２】
また、本発明の上記目的は、給電口、給電導波路、放射導波路、Ｔ分岐部、及び側壁を具備する導波管ベースと、前記放射導波路に対応する位置に、長手方向に沿ってスロット孔が設けられてスロット孔列が形成されたスロット板とを具備して成る導波管スロットアレーアンテナにおいて、前記導波管ベースは、周波数ｆ０について最適化されたものを用い、前記スロット板は、前記周波数ｆ０及び該周波数ｆ０とは異なる周波数のそれぞれに対して最適化されたもののいずれかに交換可能であり、前記導波管ベースと前記各周波数に対して最適化されたスロット板との組み合わせにより複数の周波数帯域をカバー可能としたことを特徴とし、且つ、前記周波数ｆ０よりも高い周波数ｆ０＋Δｆに対して最適化されたスロット板は、等位相面が前記放射導波路に対して所定の角度を有するように、また始端スロット孔が、外側の放射導波路に向かうにつれて、徐々に前記給電口寄りの位置（手前側）に形成されるように、さらにまた終端スロット孔と側壁との間の距離が、スロット板の幅方向の中央部に形成された前記スロット孔列ほど短くなるように、前記スロット孔が形成されていることを特徴とする導波管スロットアレーアンテナを提供することによっても達成される。
【００１３】
また、本発明の上記目的は、前記スロット孔列に隣接して設けられた前記スロット孔の間隔が、前記周波数ｆ０に最適化されたスロット板のスロット孔の間隔よりも短いことを特徴とする導波管スロットアレーアンテナを提供することによって、より効果的に達成される。
【００１４】
さらにまた、本発明の上記目的は、前記スロット板と、前記導波管ベースとの取付けは、少なくとも両者を重ね合わせた周縁部で、ねじ止め又は鋲止めを行うことを特徴とする導波管スロットアレーアンテナを提供することによって、より効果的に達成される。
【発明の効果】
【００１５】
本発明に係る導波管スロットアレーアンテナによれば、導波管ベースとして、周波数ｆ０について最適化されたものを用い、また、スロット板として、周波数ｆ０、周波数ｆ０よりも低い周波数ｆ０−Δｆ、あるいは周波数ｆ０よりも高い周波数ｆ０＋Δｆに最適化されたスロット板のいずれかを用いることによって、従来の導波管スロットアレーアンテナよりも低コストで、より広帯域の周波数帯を網羅することができる。
【００１６】
また、導波管ベースはそのままで、スロット板を付け替えることによって、周波数帯域を使い分けることもできる。
【発明を実施するための最良の形態】
【００１７】
以下、本発明に係る導波管スロットアレーアンテナについて、図面を参照しながら詳細に説明する。なお、本発明は必ずしも以下の実施形態に限定されるものではなく、特許請求の範囲を逸脱しない範囲において、適宜その構成を変更できるものであることは言うまでもない。
【００１８】
また、一般的に全てのアンテナには可逆定理が成立しているため、送信特性と受信特性とは全く同じものである。従って、以下では、全て送信の場合についてのみ説明し、受信の場合についての説明は省略する。
【００１９】
図１は、本発明に係る導波管スロットアレーアンテナを示す分解斜視図である。図示するように、本発明に係る導波管スロットアレーアンテナ１（以下、「本スロットアレーアンテナ１」と言う。）は、導波管ベース２と、スロット板３とを具備して構成されている。
【００２０】
図１に示すように、導波管ベース２は、給電口２１と、給電導波路２２と、放射導波路２３と、Ｔ分岐部２４と、側壁２５とを具備することにより導波管ベース本体２６が構成されている。また、導波管ベース本体２６の周縁部には、ねじ穴２７が形成されている。
【００２１】
すなわち、導波管ベース２は、導波管ベース本体２６の手前側の縁に沿って溝状の給電導波路２２が設けられており、この給電導波路２２から多数の溝状の放射導波路２３が延びている。この給電導波路２２から各放射導波路２３へ連なる部分にはＴ分岐部２４が形成されている。また、このＴ分岐部２４と反対側の給電導波路２２の側壁には、各Ｔ分岐部２４と対向するように誘導性壁が設けられている。さらにまた、導波管ベース本体２６は、やや厚めの導体板の上で、かつ導体板の幅方向における中央部にある一つの給電口２１から、スロット板３上に形成された全てのスロット孔３１に入力電磁波を給電できるように方形の溝が設けられている。
【００２２】
このように形成された導波管ベース２は、給電口２１から入力され給電導波路２２を伝搬してきた入力電磁波を、Ｔ分岐部２４において左右に電力的に同相の電磁波に二分配し、各放射導波路２３へ給電する。
【００２３】
次にスロット板３について説明する。スロット板３は、例えば０．５ｍｍ以下のアルミ板等の薄い導体板でできており、図示するように、導波管ベース２の各放射導波路２３に対応する位置に、その長手方向に沿うように複数のスロット孔３１が設けられ、スロット孔列＃１〜＃ｎが形成されている。また、スロット板３の周縁部には、導波管ベース２とスロット板３とを重ね合わせた際に導波管ベース２に形成されたねじ穴２７と対応する位置に、ねじ穴３２が形成されている。なお、スロット孔３１は、例えば放電加工や、エッチング等の公知の技術により所定の位置に形成される。
【００２４】
本スロットアレーアンテナ１は、例えば設定周波数ｆ０に対して最適化された導波管ベース２（ｆ０）に対し、周波数ｆ０に対して最適化されたスロット板３（ｆ０）、周波数ｆ０よりも低い周波数ｆ０−Δｆに対して最適化されたスロット板３（ｆ０−Δｆ）、あるいは周波数ｆ０＋Δｆに対して最適化されたスロット板３（ｆ０＋Δｆ）のいずれかのスロット板３を用いる。
【００２５】
なお、導波管ベース２は周波数ｆ０に対して最適化された設計のものを用い、スロット板３は周波数ｆ０−Δｆ（あるいは周波数ｆ０＋Δｆ）に対して最適化されたものを用いても、図２（ａ）（ｂ）に示すように、周波数ｆ０に対して最適化された導波管ベース２（ｆ０）及びスロット板３（ｆ０）を用いた場合と比較しても、導波管スロットアレーアンテナ１の総合特性は殆ど劣化しないことが分かる。
【００２６】
従って、周波数ｆ０に対して最適化された導波管ベース２（ｆ０）を用いても、スロット板を周波数ｆ０−Δｆ（あるいは周波数ｆ０＋Δｆ）に対して最適化されたものに取り替えるだけで、周波数ｆ０の帯域だけでなく、周波数ｆ０−Δｆの帯域、あるいは周波数ｆ０＋Δｆの帯域のより広帯域で使用することができる。
【００２７】
また、スロット板３は製造コストが安いため、周波数ｆ０−Δｆ、あるいは周波数ｆ０＋Δｆに対して最適化されたスロット板３（ｆ０−Δｆ），３（ｆ０＋Δｆ）を、周波数を小刻みに揃えることができる。従って、低コストで様々な周波数の帯域をカバーすることができ、周波数ｆ０以外の周波数が割り当てられても、本スロットアレーアンテナ１を使用することができる。
【００２８】
さらにまた、本スロットアレーアンテナ１は、スロット板３を使い分けることができるので、周波数帯域を使い分けることができる。すなわち、導波管ベース２は、周波数ｆ０に対して最適化されたもののままでも、スロット板３を付け替えるだけで異なる周波数帯域を得ることができるので、周波数帯域を使い分けることができる。
【００２９】
以下では、周波数ｆ０に対して最適化された導波管ベース２（ｆ０）に用いることができるスロット板３を作成する方法、すなわち周波数ｆ０，周波数ｆ０−Δｆ，周波数ｆ０＋Δｆに対して最適化されるスロット板３のスロット孔３１の形成位置を決める方法について説明する。
【００３０】
まず、設定周波数である周波数ｆ０に対応するようにスロット孔３１の形成位置を決め、スロット板３（ｆ０）を形成する方法について説明する。
【００３１】
周波数ｆ０に対して最適化されたスロット板３（ｆ０）は、図３に示すような配列でスロット孔３１が設けられている。すなわち、放射導波路２３の管内波長λ（ｆ０）が一様であるので、スロット板３（ｆ０）のスロット孔３１の等位相面３３が導波管ベース２の放射導波路２３に対して垂直になるように、スロット孔３１の形成位置が決められる。
【００３２】
また、このスロット板３（ｆ０）は、終端スロット孔３１ｅと側壁２５との距離ｓ０が、どのスロット孔列＃１〜＃ｎの距離ｓ０をとっても一様となるようにスロット孔３１の形成位置が決められる。ここで、終端スロット孔３１ｅとは、各放射導波路２３に沿うように形成された各スロット孔列＃１〜＃ｎを構成するスロット孔３１のうち、導波管ベース２の給電口２１から最も遠い位置に設けられた各スロット孔列＃１〜＃ｎの各スロット孔３１ｅを言う。
【００３３】
さらにまた、同じスロット孔列において隣接して（前後に）配置された各スロット孔３１，３１の間隔ｄ０も一様となるようにスロット孔３１の形成位置が決められる。
【００３４】
このように本スロットアレーアンテナ１全体の総合特性が最も良くなるように、終端スロット孔３１ｅと側壁２５との距離ｓ０、及び各スロット孔３１，３１の間隔ｄ０を決めてスロット孔３１の形成位置を決めて、スロット孔３１を設けてスロット板３（ｆ０）が形成される。
【００３５】
次に、周波数ｆ０−Δｆに対応するようにスロット孔３１の形成位置を決める方法について説明する。
【００３６】
周波数ｆ０より低い周波数ｆ０−Δｆに対して最適化されたスロット板３（ｆ０−Δｆ）は、図４に示すような配列でスロット孔３１が形成されている。この場合は、周波数ｆ０の場合と比べて、放射導波路２３の管内波長λ（ｆ−）が長くなる、すなわちλ（ｆ−）＞λ（ｆ０）となる。従って、周波数ｆ０−Δｆに対して最適化されたスロット板３（ｆ０−Δｆ）のスロット孔３１の等位相面３３が導波管ベース２の放射導波路２３に対して一定の角度を有するように、すなわち等位相面３３が略逆ハの字形となるようにスロット孔３１の形成位置が決められる。
【００３７】
すなわち、周波数ｆ０−Δｆの場合は、周波数ｆ０の場合と比較して、外側の放射導波路２３へ向かうにつれて（導波管ベース２の給電口２１から遠い放射導波路２３になるにつれて）、スロット孔３１の位相が進んでしまい、位相差が生じる。この位相差を相殺するために、外側の放射導波路２３へ向かうにつれて、各始端スロット孔３１ｂを導波管ベース２の各放射導波路２３に対応する位置に形成する位置を、徐々に給電口２１から遠ざける。ここで、始端スロット孔３１ｂとは、各放射導波路２３に沿うように形成された各スロット孔列＃１〜＃ｎを構成するスロット孔３１のうち、給電口２１に最も近い位置に設けられた各スロット孔列＃１〜＃ｎの各スロット孔３１をいう。
【００３８】
また、このスロット板３（ｆ０−Δｆ）は、終端スロット孔３１ｅと側壁２５との距離ｓ−が、スロット板３（ｆ０−Δｆ）の幅方向における中心部に向かうほど、すなわちスロット孔列＃ｎに向かうほど長くなるようにスロット孔３１の形成位置が決められる。
【００３９】
さらにまた、同じスロット孔列において隣接して配置された各スロット孔３１，３１の間隔ｄ−は、どの間隔をとっても一様となるようにスロット孔３１の形成位置が決められる。なお、上述したように放射導波路２３の管内波長はλ（ｆ−）＞λ（ｆ０）であるため、各スロット孔３１，３１の間隔ｄ−は、周波数ｆ０に最適化されたスロット板３（ｆ０）のスロット孔３１の間隔ｄ０より長い、すなわちｄ−＞ｄ０となる。
【００４０】
このように本スロットアレーアンテナ１全体の総合特性が最も良くなるように、終端スロット孔３１ｅと側壁２５との距離ｓ−、及び各スロット孔３１，３１の間隔ｄ−を決めてスロット孔３１の形成位置を決めて、スロット孔３１を設けてスロット板３（ｆ０−Δｆ）が形成される。
【００４１】
さらに、周波数ｆ０＋Δｆに対応するようにスロット孔３１の形成位置を決める方法について説明する。
【００４２】
周波数ｆ０より高い周波数ｆ０＋Δｆに対して最適化されたスロット板３（ｆ０＋Δｆ）は、図５に示すような配列でスロット孔３１が形成されている。この場合は、周波数ｆ０の場合と比べて、放射導波路２３の管内波長λ（ｆ＋）が短くなる、すなわちλ（ｆ＋）＜λ（ｆ０）となる。従って、周波数ｆ０＋Δｆに対して最適化されたスロット板３（ｆ０＋Δｆ）のスロット孔３１の等位相面３３が、上述した周波数ｆ０−Δｆの場合とは逆になるように、すなわち導波管ベース２の放射導波路２３に対して一定の角度を有し、等位相面３３が略ハの字形となるようにスロット孔３１の形成位置が決められる。
【００４３】
すなわち、周波数ｆ０＋Δｆの場合は、周波数ｆ０の場合と比較して、外側の放射導波路２３へ向かうにつれて、スロット孔３１の位相が遅れてしまい、位相差が生じる。この位相差を相殺するために、外側の放射導波路２３へ向かうにつれて各始端スロット孔３１ｂを導波管ベース２の各放射導波路２３に対応する位置に形成する位置を、徐々に給電口２１に近づける（徐々に手前側にする）。
【００４４】
また、このスロット板３（ｆ０＋Δｆ）は、終端スロット孔３１ｅと側壁２５との距離ｓ＋が、スロット板３（ｆ０＋Δｄ）の幅方向における中心部に向かうほど、すなわちスロット孔列＃ｎに向かうほど短くなるようにスロット孔３１の形成位置が決められる。
【００４５】
さらにまた、同じスロット孔列において隣接して配置された各スロット孔３１，３１の間隔ｄ＋は、どの間隔をとっても一様となるようにスロット孔３１の形成位置が決められる。なお、上述したように放射導波路２３の管内波長はλ（ｆ＋）＜λ（ｆ０）であるため、各スロット孔３１，３１の間隔ｄ＋は、周波数ｆ０に最適化されたスロット板３（ｆ０）のスロット孔３１，３１の間隔ｄ０より短い、すなわちｄ＋＜ｄ０となる。
【００４６】
このように本スロットアレーアンテナ１全体の総合特性が最も良くなるように、終端スロット孔３１ｅと側壁２５との距離ｓ＋、及び各スロット孔３１，３１の間隔ｄ＋を決めてスロット孔３１の形成位置を決めて、スロット孔３１を設けてスロット板３（ｆ０＋Δｆ）が形成される。
【００４７】
なお、図３〜図５に示すスロット孔３１の形状は長方形である。しかしながら、丸みを持たせた楕円形等、種々の形状としても良い。また、スロット孔の長さ（長方形の長辺の長さ）は、入力電磁波の約半波長で、スロット孔の幅（長方形の短辺の長さ）は、入力電磁波の約２０分の１波長である。
【００４８】
このように形成されたスロット板３（ｆ０），３（ｆ０−Δｆ），３（ｆ０＋Δｆ）のうち少なくとも２枚のスロット板３をユーザーが所持することにより、従来の導波管スロットアレーアンテナよりも広帯域の周波数帯域を得ることができ、また使用目的に応じて周波数帯域を使い分けることができるようになる。
【００４９】
このため、本スロットアレーアンテナ１は、後述するように導波管ベース２及びスロット板３をねじ止めや鋲止めにより接合するだけでよく、ろうづけ等の厳密な接合は不要である。
【００５０】
すなわち、本スロットアレーアンテナ１は、導波管ベースのベース本体２６の周縁部に形成されたねじ穴２７と、スロット板３の周縁部に形成されたねじ穴３２とを重ね合わせて、両ねじ穴２７，３２にねじを挿入して、導波管ベース２とスロット板３とをねじ止めして、導波管ベース２にスロット板３を取り付けて構成する。
【００５１】
なお、鋲止めにより導波管ベース２にスロット板３を取り付けても良い。
【００５２】
これにより、一列に並べられている導波管ベース２の放射導波路２３上にスロット孔３１の列ができ、系全体が導波管スロットアレーアンテナ１となる。
【図面の簡単な説明】
【００５３】
【図１】本発明に係る導波管スロットアレーアンテナの分解斜視図である。
【図２】周波数ｆ０とは異なる周波数に対して最適化されたスロット板を用いた導波管スロットアレーアンテナの利得周波数特性と全体の反射特性を比較したグラフである。
【図３】周波数ｆ０に対して最適化されたスロット板の平面図である。
【図４】周波数ｆ０−Δｆに対して最適化されたスロット板の平面図である。
【図５】周波数ｆ０＋Δｆに対して最適化されたスロット板の平面図である。
【図６】従来の導波管スロットアレーアンテナの指向性利得を示すグラフである。
【符号の説明】
【００５４】
１                導波管スロットアレーアンテナ
２                導波管ベース
２１              給電口
２２              給電導波路
２３              放射導波路
２４              Ｔ分岐部
２５              側壁
２６              導波管ベース本体
２７              ねじ穴
３                スロット板
３１              スロット孔
３２              ねじ穴
３３              等位相面
【図１】
0004835843.tif 000002
【図２】
0004835843.tif 000003
【図３】
0004835843.tif 000004
【図４】
0004835843.tif 000005
【図５】
0004835843.tif 000006
【図６】
0004835843.tif 000007